(57)【要約】【課題】空気調和機において、空調能力を増大しつつ、室内を快適な状態に空調できるようにする。【解決手段】空気調和機は、室内ユニット１０の上下に空気吸込み口３、１６及び空気吹出し口１５を形成し、室内空気を空気吸込み口３、１６から吸込み且つ空気吹出し口１５から吹出す送風機６を室内ユニット１０内に配置している。そして、室内ユニット１０には、空調運転停止時に空気吸込み口を構成する下部空気吸込み口３をカバーすると共に、空調運転時に空気吹出し口１５から吹出す空気の風向案内をする部材１１が設けられている。【選択図】  図１
2004361011.tif 000002
【特許請求の範囲】
【請求項１】
室内ユニットに空気吸込み口及び空気吹出し口を上下に形成し、室内空気を前記空気吸込み口から吸込み且つ前記空気吹出し口から吹出す送風機を前記室内ユニット内に配置した空気調和機において、
空調運転停止時に前記空気吸込み口をカバーすると共に空調運転時に前記空気吹出し口から吹出す空気の案内をする部材を設けたことを特徴とする空気調和機。
【請求項２】
前記部材は、前記空気吹出し口の上縁部に回動可能に支持され、空調運転停止時に前記空気吸込み口を塞ぐと共に、空調運転時に前記空気吹出し口の上縁部から前方へ突出するフラップで構成したことを特徴とする請求項１記載の空気調和機。
【請求項３】
前記室内ユニットの前面を板状のフロントパネルで形成し、前記空気吸込み口の一部を構成する下部空気吸込み口を前記フロントパネルの下部に前記空気吹出し口に近接して形成し、空調運転停止時に前記フロントパネルとほぼ同一平面になるように前記下部空気吸込み口を塞ぐ前記部材とし、空調運転停止時に前記空気吹出し口を塞ぐ上下風向板を設けたことを特徴とする請求項１記載の空気調和機。
【請求項４】
前記空気吹出し口の上縁部に回動可能に設けたフラップで前記部材を構成し、冷房運転開始時に前記フラップを前記送風機の空気吹出し風路の上面延長線上に位置させ、その後に前記空気吸込み口から所定位置だけ離れた位置まで上方へ回動させて冷房運転を継続して行なう構成としたことを特徴とする請求項１または３記載の空気調和機。
【請求項５】
前記空気吹出し口の上縁部に回動可能に設けたフラップで前記部材を構成し、暖房運転時に前記フラップを前記送風機の空気吹出し風路の上面延長線より下方に位置させることを特徴とする請求項１または３記載の空気調和機。
【請求項６】
前記空気吹出し口の上縁部に回動可能に設けたフラップで前記部材を構成し、除湿運転時に前記フラップを前記送風機の空気吹出し風路の上面延長線より下方に位置させることを特徴とする請求項１または３記載の空気調和機。
【発明の詳細な説明】
【０００１】
【発明の属する技術分野】
本発明は、空気調和機に係り、特に室内ユニットの前面下部に空気吸込み口を設けた空気調和機に好適なものである。
【０００２】
【従来の技術】
従来の空気調和機は、室内ユニットの前面部や上面部に設けた空気吸込み口から室内空気を吸い込み、室内ユニットに組み込んである熱交換器で吸い込んだ空気の温湿度を調和して、送風機により再び室内に吹出すことにより、生活空間の温湿度等を調和している。
【０００３】
その一般的な空気調和機として、特開２００１−３２４１６１号公報（特許文献１）に示されたものをあげることができる。係る空気調和機では、図６に示すように、室内ユニット２０を構成する箱体本体２１に熱交換器２２、送風機２３、エアフィルター２４およびその他の部品等が装着されている。それらの機器を被うように、室内ユニット２０の前面部に室内空気を吸い込む格子状の吸込み口を設けた前面空気吸込みパネル２５が設けられ、上面部に室内空気の吸込み口を設けた上部空気吸込みパネル２７が設けられ、下面部に温湿度を調和した空気を吹出す空気吹出し口２８が設けられている。そして、空気吹出し口２８には、運転停止時に人が生活する生活空間から室内ユニット２０の内部が見えないように空気吹出し口２８を閉鎖すると共に、運転時に空気吹出し口２８を開口して送風機２３から吹出される空気の風向を調節するように、上下風向板２９が設けられている。
【０００４】
係る空気調和機を運転すると、室内空気は、送風機２３が回転することにより、前面空気吸込みパネル２５および上部空気吸込みパネル２７から室内ユニット２０内に吸い込まれ、エアフィルター２４で空気中の塵や埃を取り除かれ、熱交換器２２で温湿度を調和され、空気吹出し口２８から上下風向板２９に案内されて再び室内に吹出されて、その部屋の温湿度を調和してゆくことになる。また、空気吹出し口２８から吹出された空気が直ぐに前面空気吸込みパネル２５から吸い込まれないように、前面空気吸込みパネル２５の下部にはショートサーキット防止用の遮蔽部２６が設けられている。
【０００５】
また、従来の空気調和機として、特開２００１−４１４８９号公報（特許文献２）に示すものがある。係る空気調和機では、図７に示すように、室内ユニット３０の外観を構成する箱体本体３１内に熱交換器３２、送風機３３、エアフィルター３４およびその他の部品等が収納されている。箱体本体３１は、フロントパネル３５を板状にして空気吸込み口の格子部を廃止し、格子状の空気吸込み口の代わりにフロントパネル３５の中間部に空気吸込み間隙３６を設けている。人が生活する床面の生活空間から見あげた場合、空気吸込み間隙３６の下側のフロントパネル３５ａと上側のフロントパネル３５ｂが重なって見え、視覚的には室内ユニット３０が一枚のフロントパネル３５で被われているように見えることになる。空気吸込み口の格子部が室内ユニット３０の前面からなくなり、空気吸込み間隙３６も視覚的に見えなくなることにより、室内ユニット３０の美観が向上するので、室内に配置してある家具や調度品と違和感なく調和するようになる。そして、フロントパネル３５の中間部の空気吸込み間隙３６は生活空間から視覚的に見えにくくなるように、フロントパネル３５の比較的上部に設けられている。
また、箱体本体３１の底面には空気吹出し口３８が設けられ、この空気吹出し口３８には図７には図示していない上下風向板が設けられている。
【０００６】
そして、空気調和機を運転すると、室内空気は、室内ユニット３０の上部空気吸込みパネル３７およびフロントパネル３５の上部の空気吸込み間隙３６の２ヶ所から吸込まれ、エアフィルター３４で空気中の塵や埃を取り除かれ、熱交換器３２で温湿度を調和され、空気吹出し口３８から上下風向板に案内されて再び室内に吹出されて、その部屋の温湿度を調和してゆくことになる。
【０００７】
【特許文献１】
特開２００１−３２４１６１号公報
【特許文献２】
特開２００１−４１４８９号公報
【０００８】
【発明が解決しようとする課題】
特許文献１の空気調和機では、空気吹出し口２８に設けられた上下風向板２９のみで吹出し空気の上下方向の風向を調節しているため、適切な風向調節を行なうことが難しく、室内を快適な状態に空調できなかった。また、前面空気吸込みパネル２５や上部空気吸込みパネル２７の格子部は格子部を通過する室内空気により格子部に塵や埃が付着したりすること、格子部の隙間部から室内ユニット２０の内部が見えたりすること、空気吸込み口２５の格子部が室内ユニット２０の美観を損なわせ室内にある他の家具や調度品等と違和感を生じて室内空間に調和させるのが難しいこと、などの問題があった。さらには、前面空気吸込みパネル２５の下部には設けられた遮蔽部２６により、熱交換器２２の下端部分がその機能を十分に発揮することができなかった。
【０００９】
特許文献２の空気調和機では、特許文献１の空気調和機と同様に、空気吹出し口２８に設けられた上下風向板２９のみで吹出し空気の上下方向の風向を調節しているため、適切な風向調節を行なうことが難しかった。また、室内空気が室内ユニット３０の主に上部から吸い込まれるため、室内ユニット３０内に配置されている熱交換器３２は上部に配置された熱交換器部分が主に熱交換することになり、下部に配置された熱交換器部分がその機能を充分に発揮することができず、空気調和機の能力低下を招いていた。さらには、フロントパネル３５の中間部に設けられた空気吸込み間隙３６を視覚的に見えなくする必要があるため、その空気吸込み間隙３６の幅を狭くすることとなり、フロントパネル３５に格子状の空気吸込み口を設けていた場合より室内空気の空気吸込み面積が小さくなってしまう。これにより、室内ユニット３０の上部空気吸込みパネル３７やフロントパネル３５の空気吸込み間隙３６を通して送風機３３が室内空気を吸い込むときの通風抵抗が大きくなり、室内空気の吸込み量を減少させて空調能力の低下を招くと共に、騒音を大きくする原因となっていた。
【００１０】
本発明の目的は、空調能力を増大しつつ、室内を快適な状態に空調できる空気調和機を提供することにある。
【００１１】
本発明の別の目的は、室内ユニットの外観意匠を向上すると共に、空調能力を増大しつつ、室内を快適な状態に空調できる空気調和機を提供することにある。
【００１２】
【課題を解決するための手段】
前記目的を達成するために、本発明は、室内ユニットに空気吸込み口及び空気吹出し口を上下に形成し、室内空気を前記空気吸込み口から吸込み且つ前記空気吹出し口から吹出す送風機を前記室内ユニット内に配置した空気調和機において、空調運転停止時に前記空気吸込み口をカバーすると共に空調運転時に前記空気吹出し口から吹出す空気の案内をする部材を設けた構成としたことにある。
【００１３】
前記目的をより好ましく達成するために、前記部材は、前記空気吹出し口の上縁部に回動可能に支持され、空調運転停止時に前記空気吸込み口を塞ぐと共に、空調運転時に前記空気吹出し口の上縁部から前方へ突出するフラップで構成したものである。
【００１４】
前記別の目的を達成するために、本発明は、さらに、前記室内ユニットの前面を板状のフロントパネルで形成し、前記空気吸込み口の一部を構成する下部空気吸込み口を前記フロントパネルの下部に前記空気吹出し口に近接して形成し、空調運転停止時に前記フロントパネルとほぼ同一平面になるように前記下部空気吸込み口を塞ぐ前記部材とし、空調運転停止時に前記空気吹出し口を塞ぐ上下風向板を設けたものである。
【００１５】
これらの目的をより好ましく達成するために、本発明は、さらに、次の構成としたものである。
【００１６】
前記空気吹出し口の上縁部に回動可能に設けたフラップで前記部材を構成し、冷房運転開始時に前記フラップを前記送風機の空気吹出し風路の上面延長線上に位置させ、その後に前記空気吸込み口から所定位置だけ離れた位置まで上方へ回動させて冷房運転を継続して行なう構成としたものである。
【００１７】
前記空気吹出し口の上縁部に回動可能に設けたフラップで前記部材を構成し、暖房運転時に前記フラップを前記送風機の空気吹出し風路の上面延長線より下方に位置させる構成としたものである。
【００１８】
前記空気吹出し口の上縁部に回動可能に設けたフラップで前記部材を構成し、除湿運転時に前記フラップを前記送風機の空気吹出し風路の上面延長線より下方に位置させる構成としたものである。
【００１９】
【発明の実施の形態】
以下、本発明の空気調和機の一実施例を示す図１〜図４及びフラップがない室内ユニットを示す図５を参照しながら説明する。図１は本発明の一実施例による空気調和機の室内ユニットの運転停止状態を示す縦断面図、図２は同室内ユニットの冷房運転開始時の縦断面図、図３は同室内ユニットの冷房運転中の縦断面図、図４は同室内ユニットの暖房運転時の縦断面図、図５は同室内ユニットのフラップがない場合の説明図である。
【００２０】
図１において、１は箱体本体、２はフロントパネル、３は上部の空気吸込みパネル、４はエアフィルター、５は熱交換器、６は送風機、７は露受皿、８は前部ケーシング、９は後部ケーシング、１０は室内ユニット、１１はフラップ、１２は上下風向板、１３は左右風向板、１４は空気吹出し風路、１５は空気吹出し口、１６は下部空気吸込み口を示している。
【００２１】
空気調和機の室内ユニット１０は、箱体本体１と、下部空気吸込み口１６を有するフロントパネル２と、室内空気を室内ユニット内に吸い込む第一の空気吸込み口である上部空気吸込みパネル３等で構成される箱体を備えている。この箱体の中に、冷凍サイクル部品である熱交換器５、その他の冷凍サイクル部品、制御装置を含む電気品、送風機６、エアフィルター４等が組み込まれている。
【００２２】
フロントパネル２は、室内ユニット１０の前面部分を構成するものであり、平坦な板状のパネルで形成されている。送風機６は、貫流ファンで構成され、上部空気吸込みパネル３及び下部空気吸込み口１６からなる室内空気吸込み口から室内空気を吸込み、空気吹出し風路１４を通して空気吹出し口１５から室内へ吹出すように構成されている。空気吹出し風路１４は前部ケーシング８と後部ケーシング９とで形成され、室内ユニット１０の底面に開口される部分が空気吹出し口１５となっている。熱交換器５は複数に分割されており、送風機６の吸込側に配置されている。
【００２３】
そして、第二の空気吸込み口となる下部空気吸込み口１６がフロントパネル２の下部で空気吹出し口１５に近接して設けられている。下部空気吸込み口１６は横長に形成され、空気吹出し風路１４とほぼ同じ横幅に形成されている。この下部空気吸込み口１６は室内ユニット１０の正面の下部から室内空気を吸い込み、複数に分割されて配置されている熱交換器５の下部を有効に活用しようとするものである。
【００２４】
しかし、下部空気吸込み口１６はフロントパネル２の下部で空気吹出し口１５に近接して設けられているため、常時開口した状態で単に設けた場合には、図５に示すように、空調運転時に空気吹出し口１５から吹出してくる調和された空気を直に吸い込むショートサーキットを形成し、室内の温湿度を調和するのに役立たない空気の流れを作ることになる。これを防止するとともに、室内ユニット１０の美観を向上させるためにフラップ１１を設けている。
【００２５】
フラップ１１は、前部ケーシング８と後部ケーシング９とで構成される空気吹出し風路１４の先端部にあたる空気吹出し口１５の上縁部に、空気吹出し口１５のほぼ全幅にわたって回動可能に設けられている。そして、フラップ１１の大きさは下部空気吸込み口１６を完全に被うことのできる大きさになっていて、フラップ１１をフラップ１１の回動範囲の最上位である回動位置ａに移動した場合、下部空気吸込み口１６はフラップ１１で完全に被われ、人が生活する生活空間から見えなくなるようになっている。この状態で、フラップ１１はフロントパネル２とほぼ同一の平面部を形成する。
【００２６】
空気吹出し風路１４内には熱交換器５で温湿度を調和された空気の流れを室内の左右方向に偏向する左右風向板１３が設けられており、空気吹出し風路１４の先端部の空気吹出し口１５には温湿度を調和された空気の流れを室内の上下方向に偏向する上下風向板１２が設けられている。上下風向板１２は空気調和機を運転している間は空気の流れを上下方向に偏向する上下風向板１２として機能している。この上下風向板１２は、空気調和機の運転が停止されると、生活空間から室内ユニット内が見えないように空気吹出し口１５の全幅にわたって空気吹出し口１５を被い、フロントパネル２及びフラップ１１とともに室内ユニットの外観形態をフラット化させる意匠部品としても機能している。
【００２７】
運転停止時には、先に説明したように、フラップ１１は回動位置ａにあって下部空気吸込み口１６を完全に被って人が生活する生活空間から下部空気吸込み口１６や下部空気吸込み口１６を通して室内ユニットの内部が見えないようにし、上下風向板１２は空気吹出し口１５を被って生活空間から空気吹出し風路１４を通して室内ユニットの内部が見えないようにしている。これにより、室内ユニット１０の外観表面はフロントパネル２、フラップ１１、上下風向板１２および箱体本体１の底面部で構成されることになり、人が生活する生活空間から見た室内ユニット１０は全体が凹凸のないフラットなパネルで構成された外観状態を示すようになる。このように室内ユニット１０の表面を板状部分で形成することにより、塵や埃が付着しにくくなり、また付着しても塵や埃を除去しやすくなる。そして、室内ユニット１０の表面がフラット化したことにより室内ユニット１０の美観が向上し、室内ユニット１０を室内に設置しても室内に置かれた他の家具調度品と違和感なく調和するようになる。
【００２８】
フラップ１１は、空気調和機のそれぞれの運転状態により回動位置ａ、回動位置ｂ、回動位置ｃ、あるいは回動位置ｄ（回動位置ｄでは矢印の範囲で回動する場合がある）となって、フロントパネル２の下部に設けた下部空気吸込み口１６と組み合わさって、それぞれの位置でそれぞれの機能を次のように発揮することになる。
【００２９】
まず、第一の機能としては、先に説明したように、フロントパネル２の下部に下部空気吸込み口１６を設けたことにより、室内空気を下部空気吸込み口１６からも吸い込めるようになり、室内ユニット内に設置された熱交換器５の下部を有効に活用することができると共に、吸込み抵抗を減少できる。これによって、空調能力が増大できると共に、騒音を低減できる。また、第二の機能として、先に説明したように、空気調和機の運転停止時にフラップ１１を回動位置ａとして下部空気吸込み口１６をカバーすることにより、室内ユニット１０の美観を向上させることができる。第三の機能としては、空気調和機の運転中にフラップ１１を回動位置ｂ〜ｄとすることにより、無駄なショートサーキットを遮断することができる。第四の機能としては、冷房運転開始時に、フラップ１１を回動位置ｃ（換言すれば、送風機６の空気吹出し風路１４の上面延長線上の位置）とすることにより、空気吹出し風路１４を通って下部空気吸込み口１６から吹出される風の流れを乱すことなく、静かで大量の冷風を部屋の隅々まで到達させてより早く室内を冷却させることができ、室内を快適な状態に空調できる。第五の機能としては、冷房運転中に、フラップ１１を回動位置ｂとすることにより、生活空間から下部空気吸込み口１５を見えなくして室内ユニット１０の美観を向上させることができる。第六の機能としては、暖房運転中および除湿運転中に、フラップ１１を回動位置ｄで矢印の範囲に回動させ、上下風向板１５とともに調和した風を足元の床面に送風することができ、室内を快適な状態に空調できる。
【００３０】
上述した第三の機能である無駄なショートサーキットを遮断する機能について、図５を用いて具体的に説明する。送風機６で空気吹出し風路１４から送られてくる風は、送風機６の回転方向により空気吹出し風路１４の上方である前部ケーシング８に沿って流れてきて空気吹出し口１５から室内に吹出すことになる。前部ケーシング８に沿って流れてきた風は空気吹出し口１５から吹き出すと上方に向う傾向があるため、フロントパネル２の下部に設けられた下部空気吸込み口１６から直ぐ室内ユニット内に吸い込まれてショートサーキットを形成することになる。このショートサーキットされた風は室内空間に送られることがないので、室内を空調する風として利用することができない無駄な風となって循環することになる。
【００３１】
従来技術１では、空気吹出し口２８の上縁部近傍にショートサーキット防止用の遮蔽部２６を設けて、この無駄な風の流れとなるショートサーキットが起きることを防止している。また、従来技術２では、室内ユニットの美観を確保するため前面の空気吸込み口を廃止して空気吸込み口のないフラットな板状パネル構造にしている。しかし室内を調和するのに必要な空気循環量を確保するために、生活空間から見えにくいフロントパネル３５の中間部に空気吸込み間隙３６が設けられることになる。空気吸込み間隙３６はフロントパネル３５の比較的上部位置に設けられるため、室内ユニットに吸い込む室内空気は室内ユニットの上部に偏り、分割して配置した熱交換器３２のうち室内ユニットの上部に配置した熱交換器３２は有効に機能することになるが、下側に配置した熱交換器３２は有効に機能しないことになる。
【００３２】
本実施例では、フロントパネル２の下側に下部空気吸込み口１６を設けて、室内を調和するのに必要な空気を室内ユニット１０の上部空気吸込みパネル３と下部空気吸込み口１６の両方から吸い込み、室内ユニット内に分割して配置した総ての熱交換器５を有効に活用している。そして、室内の空気調和に役立たないショートサーキットの形成を防止するため、空気吹出し口１５の上縁部に下部空気吸込み口１６を完全に遮蔽することのできる回動可能なフラップ１１を設け、フラップ１１を図１に示す回動位置ｂ〜ｄの何れかに移動することによりショートサーキットの形成を防止している。
【００３３】
次に、第四の機能および第五の機能にかかわる冷房運転における下部空気吸込み口１６およびフラップ１１の動作について、図２、図３を用いて具体的に説明する。室内ユニットの電源を入れた運転開始当初、フラップ１１は図２のように前部ケーシング８の延長線上の回動位置ｃに移動し、送風機６から送られてくる冷風の空気吹出し風路１４の延長部を滑らかに構成する。フラップ１１が回動位置ｃに位置することによりフロントパネル２の下部に設けた下部空気吸込み口１６が開放されるので、室内ユニット１０は下部空気吸込み口１６からも室内空気を吸い込むことになり、室内ユニット１０の下部に配置された熱交換器５を有効に利用できるようになる。
【００３４】
フラップ１１は空気吹出し風路１４の滑らかな延長線上にあるため、空気吹出し口１５から吹き出した冷風を矢印のように滑らかに室内に導くので冷風の乱れがなく、静かに室内に広がってゆくことになる。また、室内ユニットに吸い込まれる室内空気は室内ユニット上部の上部空気吸込みパネル３だけでなく、フロントパネル２の下部に設けた下部空気吸込み口１６の両方から室内ユニットに吸込まれるため、室内ユニット内に分割して配置したそれぞれの熱交換器５とそれぞれ有効に熱交換することになる。したがって、空気調和機としての能力がアップするとともに、上部空気吸込みパネル３および下部空気吸込み口１６の両方から室内空気を室内ユニット１０に吸い込むため、通風抵抗が少なくなり騒音を低下させ、風量を増加させることになる。
【００３５】
しかし、フラップ１１を回動位置ｃで長時間運転しつづけるとフラップ１１の冷風側の面は冷風で冷却されて冷たくなり、反対側の下部空気吸込み口１６に対応する面に露付きを生じることになる。本実施例ではこれを防ぐため、冷房運転を開始して所定の時間を経過後、フラップ１１の位置を回動位置ｂに回動させて移動し、以後この位置で冷房運転を継続する。この冷房運転において、下部空気吸込み口１６とフラップ１１との間に室内空気を吸い込むのに必要な所定の隙間を確保しているので、下部空気吸込み口１６から吸い込む空気量は維持することができるとともに、第五の機能である冷房運転中に生活空間から下部空気吸込み口１６を見えなくして室内ユニットの美観を向上させることになる。また、回動位置ｂにあるフラップ１１が、空気吹出し風路１４から吹出す冷風を下部吸込み口１６から吸い込まれないように防ぐので、無駄な冷風が循環するショートサーキットのない空気調和機を提供することができる。なお、フラップ１１の両面の温度差が小さい（露点温度以内）であれば、例えば、室温安定時の省電力運転時などではフラップ１１を下方へ回動することなく運転を継続してもよい。
【００３６】
上述した第六の機能である暖房運転中におけるフラップ１１の作動について、図４を用いて具体的に説明する。
【００３７】
暖房運転の場合には温風を吹き出すことになるが、温風は室内の空気より比重が軽くなっているので、一般に、空気吹出し口１５から吹き出した温風は上方に流れやすく、暖房をしなければならない冷たい足元の床面になかなか到達することがない。また、温風が床面に届くように風速を速くすると、体感的に寒さを感じるため風速を速くして温風を床面に送風することは必ずしも好ましくない。そこで、本実施例では、暖房運転開始時にフラップ１１を回動位置ｄに回動して位置し、温風の流れを強制的に下方に偏向させるようにしている。フラップ１１が図４の回動位置ｄにあることにより空気吹出し風路１４の前部ケーシング８に沿って流れてきた温風は空気吹出し口１５を出たところでフラップ１１により流れを強制的に下方へ偏向されて、また、空気吹出し風路１４の中央部を流れてきた温風は上下風向板１２により流れの向きを偏向されて床面に向かって温風を吹出すことになる。
【００３８】
なお、フロントパネル２の下部空気吸込み口１６はフラップ１１が回動位置ｄにあるため、室内空気を抵抗なく自由に吸い込むことができるので同一の送風量を確保する場合には送風機の回転数を低くすることができ、静かな暖房運転を行なうことが可能になる。また、暖房時にはフラップ１１を冷却することがないのでフラップ１１の下部空気吸込み口１６側の面に露がつくことがないので、暖房運転中、回動位置ｄに設定したままでも良い。また、回動位置ｄでは矢印の範囲でフラップを回動することができるので、必要に応じてフラップ１１の位置を回動して希望の場所へ温風を送ることができる。
【００３９】
また、除湿運転時には暖房運転時と同様にフラップ１１を回動させても良いし、また、除湿運転では特に床面に空気を吹出す必要がないので、冷房運転中と同様な回動位置ｂにフラップ１１を移動して、生活空間から下部空気吸込み口１６を見えなくして室内ユニットの美観を向上させることも可能である。
【００４０】
本実施例の効果を纏めると次の通りである。
１．フロントパネル２の下部に下部空気吸込み口１６を設けたことにより、室内空気を上部空気吸込みパネル３および下部空気吸込み口１６から吸い込めるので、室内ユニット内に分割して配置したそれぞれの熱交換器５を有効に活用することができる。
２．空気吹出し口１５の上縁部に設けたフラップ１１によりフロントパネル２の下部に設けた下部空気吸込み口１６をカバーし、居住空間から見た室内ユニット１０の外観表面をフラット化して室内ユニット１０の美観を向上させることができる。
３．冷房運転開始当初、空気吹出し口１５から吹出す冷風の流れを乱すことなく、静かで大量の冷風を部屋の隅々まで到達させてより早く室内を冷却させることができる。
４．冷房運転中はフロントパネル２の下部の下部空気吸込み口１６と所定の間隙をおいた回動位置ｂにフラップ１１を移動することにより、生活空間から下部空気吸込み口１６を見えなくして室内ユニット１０の美観を向上させるとともに、下部空気吸込み口１６からの室内空気を吸い込み、室内ユニット１０の下部に配置された熱交換器５の熱交換効率を向上させることができる。
５．暖房運転中はフラップ１１を回動位置ｄに回動させて上下風向板として機能させ、フラップ１１を下方向に設定することにより温風を足元の床面に到達させることができる。
【００４１】
【発明の効果】
以上の実施例の説明から明らかなように、本発明によれば、空調能力を増大しつつ、室内を快適な状態に空調できる空気調和機を提供することができる。
【００４２】
また、本発明によれば、室内ユニットの外観意匠を向上すると共に、空調能力を増大しつつ、室内を快適な状態に空調できる空気調和機を提供することができる。
【図面の簡単な説明】
【図１】本発明の一実施例による空気調和機の室内ユニットの運転停止状態を示す縦断面図である。
【図２】図１の室内ユニットの冷房運転開始時の縦断面図である。
【図３】図１の室内ユニットの冷房運転中の縦断面図である。
【図４】図１の室内ユニットの暖房運転時の縦断面図である。
【図５】同室内ユニットのフラップがない場合の説明図である。
【図６】特許文献１の空気調和機の室内ユニットの縦断面図である。
【図７】特許文献２の空気調和機の室内ユニットの断面図である。
【符号の説明】
１…箱体本体、２…フロントパネル、３…上部空気吸込みパネル、４…エアフィルター、５…熱交換器、６…送風機、７…露受皿、８…前部ケーシング、９…後部ケーシング、１０…室内ユニット、１１…フラップ、１２…上下風向板、１３…左右風向板、１４…空気吹出し風路、１５…空気吹出し口、１６…下部空気吸込み口、２１…箱体本体、２２…熱交換器、２３…送風機、２４…エアフィルター、２５…前面空気吸込みパネル、２６…ショートカット回路遮蔽部、２７…上部空気吸込みパネル、２８…空気吹出し口、２９…上下風向板、３１…箱体本体、３２…熱交換器、３３…送風機、３４…エアフィルター、３５…フロントパネル、３６…空気吸込み間隙、３７…上部空気吸込みパネル、３８…空気吹出し口。
【図１】
2004361011.tif 000003
【図２】
2004361011.tif 000004
【図３】
2004361011.tif 000005
【図４】
2004361011.tif 000006
【図５】
2004361011.tif 000007
【図６】
2004361011.tif 000008
【図７】
2004361011.tif 000009